(57)【要約】  【課題】  洗濯槽内に複雑な対流を起こさせることによって、コスト高を招来することなく、短時間のうちに洗濯物の汚れを確実に落とせるようにした洗濯機を提供する。  【解決手段】  洗濯槽内で洗濯水を洗濯物とともに対流させることによって汚れを落とすようにした洗濯機において、洗濯水Ｗが注水され、該洗濯水内には洗濯物Ａが投入される静止形の洗濯槽１０と、該洗濯槽の側面全周に間隔をあけて設けられ、気体及び／又は液体を下方又は斜め下方に向けて吐出し上記洗濯水に上記洗濯槽中央を上昇して上記洗濯槽の内面に沿って下降する対流を起こさせ、上記洗濯物を上記洗濯水の対流にのせて移動させる複数の吐出管１１と、該吐出管に気体及び／又は液体を圧送する圧送源１５と、を備える。【選択図】  図２
2014230563.tif 000002
【特許請求の範囲】
【請求項１】
洗濯槽内で洗濯水を洗濯物とともに対流させることによって汚れを落とすようにした洗濯機において、
洗濯水（Ｗ）が注水され、該洗濯水（Ｗ）内には洗濯物（Ａ）が投入される静止形の洗濯槽（１０）と、
該洗濯槽（１０）の側面全周に間隔をあけて設けられ、気体及び／又は液体を下方又は斜め下方に向けて吐出し上記洗濯水（Ｗ）に上記洗濯槽（１０）中央を上昇して上記洗濯槽（１０）の内面に沿って下降する対流を起こさせ、上記洗濯物（Ａ）を上記洗濯水（Ｗ）の対流にのせて移動させる複数の吐出管（１１）と、
該吐出管（１１）に気体及び／又は液体を圧送する圧送源と、
を備えたことを特徴とする洗濯機。
【請求項２】
上記洗濯槽（１０）の底面は中央を中心として断面円弧凹状に窪んだ形状に形成され、上記吐出管から吐出された気体及び／又は液体が上記洗濯槽（１０）の中央を上昇するように案内されるようになっている請求項１記載の洗濯機。
【請求項３】
上記吐出管（１１）が逆Ｊ字形状に形成されている請求項１記載の洗濯機。
【発明の詳細な説明】
【技術分野】
【０００１】
本発明は洗濯機に関し、特に洗濯槽内に複雑な対流を起こさせることによって、コスト高を招来することなく、短時間のうちに洗濯物の汚れを確実に落とせるようにした洗濯機に関する。
【背景技術】
【０００２】
洗濯機には、羽根を回転・逆転させて洗濯水を攪拌して洗濯槽内に回転又は対流の水流を起こし、洗濯物を旋回又は対流させて汚れを落とす方式、ドラム形洗濯槽を回転させて洗濯物を落下させて洗濯槽内面に衝突させて汚れを落とす方式が実用化されている。
【０００３】
しかし、羽根方式の洗濯機では洗濯物が絡まってしまい、取り出すのが煩わしい一方、ドラム方式の洗濯機では洗濯物が洗濯槽内面に衝突して傷みやすい。
【０００４】
これに対し、洗濯槽の側面からエアーを吹き込み、洗濯槽内に回転渦を発生させて洗濯物を回転させ、汚れを落とす方式が提案されている（特許文献１）。
【０００５】
また、洗濯槽の側面に起振装置を対向して設け、洗濯槽の底部のエアーを吹き込み口を設け、さらに洗濯槽の底部に洗濯水の循環口を設けて洗濯槽内に対流を起こさせ、水の対流と水の振動と気泡とによって汚れを落とすようにした方式が提案されている（特許文献２）。
【先行技術文献】
【特許文献】
【０００６】
【特許文献１】特開平０８−１１７４７５号公報
【特許文献２】特開２００６−１２２６８７号公報
【発明の開示】
【発明が解決しようとする課題】
【０００７】
しかし、特許文献１記載の洗濯機では洗濯物が洗濯槽内でぐるぐる回転するだけであるので、汚れを確実に落とすには時間がかかる。
【０００８】
他方、特許文献２記載の洗濯機では水の対流、水の振動、気泡を発生させる機構を必要とし、構造が複雑で、コスト高を招来する。
【０００９】
本発明はかかる問題点に鑑み、洗濯槽内に複雑な対流を起こさせることによって、コスト高を招来することなく、短時間のうちに洗濯物の汚れを確実に落とせるようにした洗濯機を提供することを課題とする。
【課題を解決するための手段】
【００１０】
そこで、本発明に係る洗濯機は、洗濯槽内で洗濯水を洗濯物とともに対流させることによって汚れを落とすようにした洗濯機において、洗濯水が注水され、該洗濯水内には洗濯物が投入される静止形の洗濯槽と、該洗濯槽の側面全周に間隔をあけて設けられ、気体及び／又は液体を下方又は斜め下方に向けて吐出し上記洗濯水に上記洗濯槽中央を上昇して上記洗濯槽の内面に沿って下降する対流を起こさせ、上記洗濯物を上記洗濯水の対流にのせて移動させる複数の吐出管と、該吐出管に気体及び／又は液体を圧送する圧送源と、を備えたことを特徴とする。
【００１１】
本発明の特徴の１つは、洗濯槽の側面全周に間隔をあけて吐出管を設け、気体又は液体を下方又は斜め下方に向けて吐出し、洗濯槽内に洗濯槽中央を上昇し外周囲に移動した後洗濯槽の内面に沿って下降するような対流を起こさせるようにした点にある。
【００１２】
これにより、洗濯物は対流する洗濯水の流れによって洗濯槽内を上昇して洗濯槽内面側に移動し、洗濯槽内面に沿って下降し、このような動きを繰り返すことによって激しく揺すられ、洗濯物の汚れを素早く落とすことができる。
【００１３】
本発明の第２の特徴は洗濯物を洗濯水の対流にのせて移動させることによって汚れを落とすようにした点にある。これにより、洗濯物を洗濯槽に叩きつける洗濯方式に比較して洗濯物の傷みを少なくできる。
【００１４】
また、本発明の第３の特徴は気体及び／又は液体の吐出によって洗濯水を対流を起こさせることによって洗濯物の汚れを落とすようにした点にある。これにより、特許文献２記載の洗濯機のように、水の対流、水の振動、気泡を発生させる複数な機構を必要とせず、コスト高を招来することもない。
【００１５】
洗濯水の対流は気体、例えばエアーを吐出させることによって生成させるようにしてもよく、液体、例えば水を吐出させることによって生成させるようにしてもよく、又気体と液体を混合して吐出することによって生成させるようにしてもよい。
【００１６】
洗濯槽の底面は平坦又は断面円弧凹状でもよいが、気体及び／又は液体の吐出によって洗濯槽中央を上昇し外周囲に移動した後洗濯槽内面によって下降するような洗濯水の対流を確実に起こさせる上で、洗濯槽の底面は中央を中心として断面円弧凹状に窪んだ形状に形成し、吐出管から吐出された気体及び／又は液体が洗濯槽の中央を上昇するように案内されるように構成するのが好ましい。
【００１７】
吐出管は真っ直ぐな形状としてもよいが、洗濯水が吐出管を逆流し難い逆Ｊ字形状とし、気体及び／又は液体の圧送の上流側に逆止弁を設けるのが好ましい。
【図面の簡単な説明】
【００１８】
【図１】本発明に係る洗濯機の好ましい実施形態を示す概略構成図である。
【図２】上記実施形態における作用を模式的に示す図である。
【発明を実施するための形態】
【００１９】
以下、本発明を図面に示す具体例に基づいて詳細に説明する。図１及び図２は本発明に係る洗濯機の好ましい実施形態を示す。図において、洗濯機はハウジング内に静止形の洗濯槽１０を内蔵して構成され、洗濯槽１０の側面下部には複数の吐出管１１が洗濯槽１０の内面全周にわたって所定の間隔をあけて設けられている。
【００２０】
吐出管１１は概略逆Ｊ字状をなし、先端開口は洗濯槽１０の底面に指向され、又吐出管１１の上流側は集合管１２に接続され、集合管１２は送供管１４に接続され、送供管１４には逆止弁１３が設けられ、送供管１４の上流端はエアーポンプ１５に接続され、吐出管１１にはエアーポンプ１５からの圧縮エアー２０が圧送されるようになっている。
【００２１】
また、洗濯槽１０の底面は中央を中心として断面円弧凹状に窪んだ形状に形成され、吐出管１１から吐出された圧縮エアー２０が案内されて洗濯槽１０の中央を上昇するようになっている。
【００２２】
さらに、洗濯槽１０の底面には排水口１６が形成され、排水口１６には排水管１７が接続され、排水管１７には開閉弁１８が設けられている。
【００２３】
洗濯物を洗濯する場合、図２に示されるように、洗濯槽１０内に水Ｗを注水するとともに洗剤を投入し、洗濯物Ａを投入した後、エアーポンプ１５を作動させ、洗濯槽１０内に圧縮エアーを圧送する。
【００２４】
すると、洗濯槽１０内には複数の各吐出管１１の先端開口から圧縮エアー２０が下方に向けて吐出され、圧縮エアー２０は洗濯槽１０の底面に案内されて中央に集まり、洗濯槽１０の中央を水面まで上昇し、水面に達すると洗濯槽１０の外周に移動した後、洗濯槽１０の内面に沿って下降し、このような動きが繰り返され、洗濯槽１０内には洗濯水Ｗの対流が生成される。
【００２５】
洗濯水Ｗの対流が生成されると、洗濯物Ａは洗濯水Ｗの対流にのって、洗濯槽１０の中央を上昇し、洗濯槽１０の外周に移動した後、洗濯槽１０の内面に沿って下降するという動きを繰り返すことによって、激しく揺すられ、洗濯水Ｗ中の洗剤の成分と何度も接触して汚れが素早く分離され、分離された汚れは洗濯水Ｗ中の気泡に付着し、洗濯物Ａに戻ることはなく、こうして洗濯物Ａを洗濯することができる。
【００２６】
洗濯が済むと、エアーポンプ１５を停止し、開閉弁１８を開いて汚れた洗濯水Ｗを排水すればよい。このとき、汚れた洗濯水Ｗが吐出口１１を逆流することが懸念されるが、逆止弁１３を設けているので、逆流することはない。
【００２７】
なお、上記の例では洗濯槽１０の底面を中央を中心として断面円弧凹状に窪んだ形状に形成するようにしたが、平坦面や断面円弧凹状面としてもよい。
【００２８】
また、上記の例では洗濯後に汚れた水を洗濯槽から排水するようにしたが、洗濯槽の上部に循環用排水口を設け、洗濯中に汚れを含む洗濯水を洗濯槽から排水し、フィルターで濾過して洗濯槽に循環させるようにしてもよく、こうすると節水効果を高めることができる。
【００２９】
また、上記の例では圧縮エアーを圧送するようにしたが、水を圧送するようにしてもよく、又エアーを混合し水を圧送するようにしてもよい。
【符号の説明】
【００３０】
１０      洗濯槽
１１      吐出管
１５      エアーポンプ
Ａ        洗濯物
Ｗ        洗濯水
【図１】
2014230563.tif 000003
【図２】
2014230563.tif 000004